(57)【特許請求の範囲】
【請求項１】
可撓性の導体カテーテル（１）であって、前記カテーテルの長手方向に沿って延在する少なくとも１つのルーメン（２ａ−ｂ）を有し、前記少なくとも１つのルーメンの中に可撓性のコンダクタ・キャリアが配置され、可撓性の前記コンダクタ・キャリアは、少なくとも１つの平坦な部分（５、５ａ−ｂ）と丸められた部分（６）とを含む細長い挿入される部分（５、５ａ−ｂ、６）を有し、少なくとも１つの電極（４ａ−ｂ）が、前記カテーテルの外部表面の外部電極と接続するために、丸められた部分（６）の周辺に固定されることを特徴とする、可撓性の導体カテーテル（１）。
【請求項２】
前記少なくとも１つの平坦な部分（５、５ａ−ｂ）は、互いに平行して配置される２つの細長い部分を含むことを特徴とする、請求項１に記載の可撓性の導体カテーテル（１）。
【請求項３】
少なくとも１つのコンダクタが、前記電極（４ａ−ｂ）に接続されており、その電極（４ａ−ｂ）から前記コンダクタ・キャリアに沿って、かつ、前記コンダクタ・キャリアの端部まで延在することを特徴とする、請求項１または２に記載の可撓性の導体カテーテル（１）。
【請求項４】
前記挿入される部分（５、５ａ−ｂ、６）は、複数の前記平坦な部分（５、５ａ−ｂ）と丸められた部分（６）とを含むことを特徴とする、請求項１〜３のいずれか一項に記載の可撓性の導体カテーテル（１）。
【発明の詳細な説明】
【技術分野】
【０００１】
本発明は、可撓性コンダクタ・キャリア及び請求項のプレアンブルに記載のようなコンダクタ・キャリアを備えているカテーテルに関する。
【背景技術】
【０００２】
カテーテルの内部に沿って走る導体（コンダクタ）を有する可撓性カテーテルは、公知である。この種の可撓性カテーテルは、国際出願公開番号第ＷＯ２００７１３９４７９号に記述されている。この文書は、円筒状素子を形成するために丸められ、カテーテルを構成する、細長い、矩形の可撓性回路基板を記載している。この円筒状導体は可撓性であるが、この印刷回路基板上のこの電気導体は過度に鋭く曲げられると、折れたり、損傷を受ける可能性がある。
臨床状況において、カテーテルを曲げることは、しばしば必要で、それによって円筒状マルチ導体上の導体リード線が折れるということが生じる。
【０００３】
従って、本発明の１つの目的は、この種の従来技術のコンダクタ・キャリアより、より大きな曲げの度合いを許容する可撓性コンダクタ・キャリア及びこのようなコンダクタ・キャリアを具備するカテーテルを提供することである。
【０００４】
本発明の別の目的は、この種の従来技術のコンダクタ・キャリアより、より大きな可撓性の度合いを有する可撓性コンダクタ・キャリア及びこのようなコンダクタ・キャリアを具備するカテーテルを提供することである。
【０００５】
これらのそしてまた他の目的は、独立クレームの特有の特徴に従ったカテーテル用の可撓性コンダクタ・キャリア及びこのようなコンダクタ・キャリアを具備するカテーテルによって達成される。
【発明の概要】
【０００６】
本発明は、可撓性カテーテルのルーメン（即ち内腔）（２ａ−ｂ）に配置することを意図した少なくとも１つの細長い挿入部分（５、５ａ−ｂ、６）を含む可撓性コンダクタ・キャリア（５、５ａ−ｂ、６、７）に関する。この可撓性コンダクタ・キャリアは、通常、可撓性プリント回路板で作られる。この挿入部分（５、５ａ−ｂ、６）は、少なくとも１つの平坦な部分（５、５ａ−ｂ）と丸められた部分（６）とを含む。
【０００７】
この平坦な部分は、その丸められた相対部分より曲げに対して、より高い許容度の利便を提供する。通常、この丸められた部分（６）の周辺には、少なくとも１つの電極（４ａ−ｂ）が存在する。この平坦な部分（５、５ａ−ｂ）は、特に有益な実施例においては、２つの細長い部分を含み、それらの大部分は相互に平行に延在し、付加的の導体のための空間、そして、それ故、追加的の電極のための空間を提供する。
【０００８】
本発明はこの種のコンダクタ・キャリア（５、５ａ−ｂ、６、７）に関し、挿入部分（５、５ａ−ｂ、６）は、順番に幾つかの平坦な部分（５、５ａ−ｂ）と丸められた部分（６）を含み、複数の電極は、これらの電極間にコンダクタ・キャリアの可撓性の、平坦な部分を有するカテーテルに沿って、幾つかの位置に配置することができる。
【０００９】
本発明は、このようなコンダクタ・キャリア（５、５ａ−ｂ、６、７）を具備するカテーテルに関する。
【図面の簡単な説明】
【００１０】
【図１】従来技術によるカーブするカテーテルを示す。
【図２】丸められた状態にある円筒状コンダクタ・キャリアの第１の実施例を示す。
【図３】平坦な状態にあるコンダクタ・キャリアの第１の実施例を示す。
【図４】この平坦な状態にあるコンダクタ・キャリアの第２の実施例を示す。
【図５】ルーメンに挿入された第１の実施例のコンダクタ・キャリアを有するカテーテルを示す。
【発明を実施するための形態】
【００１１】
図１は、公知の技術に従って設計されたカーブするコンダクタ・キャリアを有するカテーテルを示す。このカテーテルは、可撓性材料の円筒形ロッド１で作られ、このカテーテルに沿って延在する２つの円筒状ルーメン（２ａ−ｂ）を有する。このカテーテルは、これらのルーメンを通して流体を輸送するように、または代わりにこれらのルーメンに複数の電極のためのコンダクタ・キャリアを含むように、設計される。
１つのルーメン（２ｂ）に配置されているのは、コンダクタ・キャリア３で、その周辺には２つの内部電極（４ａ−ｂ）が固定されている。これらの内部電極は、測定目的のために、または、このカテーテルを下って電極（９ａ−ｂ）へと延在するこれらのコンダクタラインを介してエネルギーを器官に供給するために、外部電極（１０ａ−ｂ）に電気的に接続している。
【００１２】
従来技術によるコンダクタ・キャリアは、円筒の形状に丸められる可撓性プリント回路の平坦な、矩形のピース（ｐｉｅｃｅ）から成り、シリンダを可撓性接着剤で満たすことによって、この形状に固定される。コンダクタ・キャリアは平坦であるときは、非常に可撓性があるが、丸められたときは、それ程可撓性がない。そして、鋭く曲げられたときは、銅のコンダクタはちぎれる（ｒｉｐｐｅｄ  ｏｆｆ）ことがある。通常の使用中では、カテーテルは適度に屈曲されるだけで、良く動作する。
しかしながら、カテーテルは著しく不用意に曲げられることがある。その場合には、従来技術のコンダクタ・キャリアのコンダクタは損傷を受けることがある。
加えて、図示したように、カテーテルは、このルーメンを通して液体またはガスの輸送を遮断するために、しばしば、そして、故意に鋭く曲げられる。これは、従来技術のコンダクタ・キャリアにダメージを与え、本願発明のコンダクタ・キャリアが解決する課題の１つである。
別の効果は、結果としてのカテーテルが供給管としての使用につき、より十分に可撓性になるということである。そして、これは、内部カテーテルの全部が丸められれば、そうなるというケースでは必ずしもない。
【００１３】
過度の曲げによるコンダクタ・キャリアの丸められた部分へのダメージの危険度は、電極が存在する部分のところだけで、丸められ、残りのコンダクタ・キャリアは、平坦なままである、コンダクタ・キャリアによって除去される。
図２は、本発明による円筒状コンダクタ・キャリア（３）の第１の実施例を示し、このコンダクタ・キャリアは、丸められた状態にある。このコンダクタ・キャリアは、平坦な、丸められない部分（５）と丸められた円筒形区分（６）を含み、両方ともこのカテーテル内部に配列される。
このコンダクタ・キャリアの平坦な端部、即ち、より幅広の部分（７）は、このカテーテルの外側に配置される。この部分において、コンダクタは、電子機器への楽な接続ができるように配置されている。この平坦な部分の他端は、この丸められた部分（６）に接続され、この丸められた部分の外面の周りに２つの内部電極（４ａ−ｂ）が配置される。これらの内部電極は、このカテーテルの外部の表面に固定される外部電極に接続している。
【００１４】
図３は、平坦な状態にあるコンダクタ・キャリアの第１の実施例を示し、２つの部分（５）と（６）を明瞭に示しており、部分（５）は平坦なままであり、部分（６）は、丸めるプロセスの後、丸められる。丸められる部分（６）となる部分は、平坦な部分（５）より幅広で、好ましくは、３倍より大きく、この丸められた部分によって形成されるシリンダの直径は、この平坦な部分の幅に等しい。この２つの部分間の転移部（トランジション）において破損の危険度を減らすために、この可撓性回路基板は、斜めにカットされ、矩形の形状にはカットされない。
【００１５】
図４は、平坦な状態にあるコンダクタ・キャリアの第２の実施例を示す。ここで、平坦な部分は２つの部分（５ａ−ｂ）に分割され、コンダクタ・キャリアの長手方向に沿って相互に平行に走っている。コンダクタ・キャリアのより幅広の部分（６）が丸められるときに、この平坦な部分（５ａ−ｂ）の１つは他の平坦な部分の上に配置される。
その結果、この平坦な部分の幅は、第１の実施例の相対物より狭い。同時に、柔軟性の優れたレベルは達成され、結果としての弾力は第１の実施例のそれと同等である。
まさに第１の実施例のように、この平坦な部分（５ａ−ｂ）とこの丸められた部分はカテーテルのルーメンに挿入されることが意図されている。その一方で、この平坦な部分に接続している幅広の部分（７）は、カテーテルに挿入されないで、カテーテルの一端に配置されることが意図されている。
【００１６】
図５は、あるカテーテルのルーメン２ｂに挿入されるコンダクタ・キャリアの第１の実施例を示す。このコンダクタ・キャリアは、残りの部分より幅広の平坦な部分を含み、この平坦な部分上に接続部（９ａ−ｂ）が配置される。これらの接続部（９ａ−ｂ）は、２つの内部電極（４ａ−ｂ）と電気的に接続している。
【００１７】
これらの例示した実施例は、ただ例を示したに過ぎず、コンダクタ・キャリアは、カテーテルに挿入される１つの平坦な部分と丸められた部分を含む。しかしながら、コンダクタ・キャリアは、コンダクタ・キャリアの長さに応じて、幾つかの平坦な部分と丸められた部分を含むことができる。
【符号の説明】
【００１８】
１    円筒形ロッド（可撓性カテーテル）
２ａ  円筒形ルーメン
２ｂ  円筒形ルーメン
３    コンダクタ・キャリア
４ａ  内部電極
４ｂ  内部電極
５    平坦な部分
５ａ  平坦な部分
５ｂ  平坦な部分
６    コンダクタ・キャリア（幅広の部分／丸められた部分）
７    コンダクタ・キャリア（幅広の部分）
９ａ  接続部
９ｂ  接続部
１０ａ  外部電極
１０ｂ  外部電極
【図１】
0005643313.tif 000002
【図２】
0005643313.tif 000003
【図３】
0005643313.tif 000004
【図４】
0005643313.tif 000005
【図５】
0005643313.tif 000006